(57)【特許請求の範囲】
【請求項１】
ワイヤレス通信の方法であって、
遠隔近距離通信(NFC)デバイスに関連付けられた第1のNFC 無線周波数(RF)技術およびモード値ならびに第2のNFC RF技術およびモード値を取得するステップであって、前記第1のNFC RF技術およびモード値が、通信リンクのアクティブ化段階のためのNFC RF技術に関連付けられた値であるとともに、前記第2のNFC RF技術およびモード値が、前記通信リンクのデータ交換段階のためのNFC RF技術に関連付けられた値である、ステップと、
前記アクティブ化段階の間に前記NFCデバイスに関連付けられた1つまたは複数のNFC RF技術固有のパラメータを取得するステップと、
前記データ交換段階のためのNFC RF技術によってサポートされるように通信を構成するステップと
を備える方法。
【請求項２】
前記構成するステップが、
前記データ交換段階の開始を決定するステップと、
前記データ交換段階のためのNFC RF技術を使用してサポートされる前記通信を可能にするステップと
を備える、請求項1に記載の方法。
【請求項３】
前記1つまたは複数のNFC RF技術固有のパラメータを取得するステップが、データ交換段階送信ビットレート、およびデータ交換段階受信ビットレートを取得するステップをさらに備え、前記データ交換段階送信ビットレートおよび前記データ交換段階受信ビットレートが、前記第2のNFC RF技術およびモード値に関連付けられ、前記データ交換段階の間に使用される、請求項2に記載の方法。
【請求項４】
前記遠隔NFCデバイスが、遠隔NFCタグ、リーダーデバイス、ライターデバイス、NFCカード、および遠隔ピアターゲットデバイスの中から選択された1つを含む、請求項1に記載の方法。
【請求項５】
前記データ交換段階のためのNFC RF技術が、前記アクティブ化段階のためのNFC RF技術とは異なるデータレート通信をサポートする、請求項1に記載の方法。
【請求項６】
前記アクティブ化段階およびデータ交換段階のためのNFC RF技術の各々が、NFC-A技術、NFC-B技術、およびNFC-F技術の中から選択された1つを含む、請求項1に記載の方法。
【請求項７】
前記データ交換段階のためのNFC RF技術に関連付けられたデータレートに基づいて第1のサイズのデータパッケージを転送するための持続時間を推定するステップ
をさらに備える請求項1に記載の方法。
【請求項８】
前記推定された持続時間に基づいてデータパッケージ転送を始めるオプションのプロンプトを出すステップと、
前記データパッケージ転送を始めるかどうかを示す応答をユーザから受信するステップ
をさらに備える請求項7に記載の方法。
【請求項９】
前記取得された値およびパラメータを含むRFアクティブ通知メッセージを生成するステップをさらに備える請求項1に記載の方法。
【請求項１０】
前記アクティブ化段階およびデータ交換段階のためのNFC RF技術の各々が通信リンクを使用し、前記通信リンクが、パッシブ通信リンクおよびアクティブ通信リンクの中の1つのリンクである、請求項1に記載の方法。
【請求項１１】
前記データ交換段階のためのNFC RF技術によって使用されている前記通信リンクに基づいて前記データ交換段階のためのNFC RF技術のために使用可能なカバレージ範囲を推定するステップ
をさらに備える請求項10に記載の方法。
【請求項１２】
前記通信リンクにおける電位の変化、および前記変化に関連付けられた前記推定された使用可能なカバレージ範囲の変化を示す通知のプロンプトを出すステップ
をさらに備える請求項11に記載の方法。
【請求項１３】
コンピュータに、
遠隔近距離通信(NFC)デバイスに関連付けられた第1のNFC 無線周波数(RF)技術およびモード値ならびに第2のNFC RF技術およびモード値を取得させることであって、前記第1のNFC RF技術およびモード値が、通信リンクのアクティブ化段階のためのNFC RF技術に関連付けられた値であるとともに、前記第2のNFC RF技術およびモード値が、前記通信リンクのデータ交換段階のためのNFC RF技術に関連付けられた値である、ことと、
前記アクティブ化段階の間に前記NFCデバイスに関連付けられた1つまたは複数のNFC RF固有のパラメータを取得させることと、
前記データ交換段階のための第2のNFC RF技術によってサポートされるように通信を構成させることと、
を行わせるためのコードを備えるコンピュータプログラム。
【請求項１４】
前記コンピュータに
前記データ交換段階の開始を決定させ、
前記データ交換段階のためのNFC RF技術を使用してサポートされる前記通信を可能にさせる
ためのコードをさらに備える、請求項13に記載のコンピュータプログラム。
【請求項１５】
前記コンピュータに
データ交換段階送信ビットレート、およびデータ交換段階受信ビットレートを取得させることであって、前記データ交換段階送信ビットレートおよび前記データ交換段階受信ビットレートが、前記第2のNFC RF技術およびモード値に関連付けられ、前記データ交換段階の間に使用されること
を行わせるためのコードをさらに備える、請求項14に記載のコンピュータプログラム。
【請求項１６】
前記遠隔NFCデバイスが、遠隔NFCタグ、リーダーデバイス、ライターデバイス、NFCカード、および遠隔ピアターゲットデバイスの中から選択された1つを含む、請求項13に記載のコンピュータプログラム。
【請求項１７】
前記データ交換段階のためのNFC RF技術が、前記アクティブ化段階のためのNFC RF技術とは異なるデータレート通信をサポートする、請求項13に記載のコンピュータプログラム。
【請求項１８】
前記アクティブ化段階およびデータ交換段階のためのNFC RF技術の各々が、NFC-A技術、NFC-B技術、およびNFC-F技術の中から選択された1つを含む、請求項13に記載のコンピュータプログラム。
【請求項１９】
前記コンピュータに
前記データ交換段階のためのNFC RF技術に関連付けられたデータレートに基づいて第1のサイズのデータパッケージを転送するための持続時間を推定させる
ためのコードをさらに備える、請求項13に記載のコンピュータプログラム。
【請求項２０】
前記コンピュータに
前記推定された持続時間に基づいてデータパッケージ転送を始めるためのオプションのプロンプトを出させ、
前記データパッケージ転送を始めるかどうかを示す応答をユーザから受信させる
ためのコードをさらに備える、請求項19に記載のコンピュータプログラム。
【請求項２１】
前記コンピュータに
前記取得された値およびパラメータを含むRFアクティブ化通知メッセージを生成させる
ためのコードをさらに備える、請求項20に記載のコンピュータプログラム。
【請求項２２】
前記通信リンクがパッシブ通信リンクおよびアクティブ通信リンクの中の1つのリンクである、請求項13に記載のコンピュータプログラム。
【請求項２３】
前記コンピュータに
前記データ交換段階のためのNFC RF技術によって使用されている前記通信リンクに基づいて前記データ交換段階のためのNFC RF技術のために使用可能なカバレージ範囲を推定させる
ためのコードをさらに備える、請求項22に記載のコンピュータプログラム。
【請求項２４】
前記コンピュータに
前記通信リンクにおける電位の変化、および前記変化に関連付けられた前記推定された使用可能なカバレージ範囲の変化を示す通知のプロンプトを出させる
ためのコードをさらに備える、請求項23に記載のコンピュータプログラム。
【請求項２５】
通信のための装置であって、
遠隔近距離通信(NFC)デバイスに関連付けられた第1のNFC無線周波数(RF)技術およびモード値ならびに第2のNFC RF技術およびモード値を取得するための手段であって、前記第1のNFC RF技術およびモード値が、通信リンクのアクティブ化段階のためのNFC RF技術に関連付けられた値であるとともに、前記第2のNFC RF技術およびモード値が、前記通信リンクのデータ交換段階のためのNFC RF技術に関連付けられた値である、手段と、
前記アクティブ化段階の間に前記NFCデバイスに関連付けられた1つまたは複数のNFC RF固有のパラメータを取得するための手段と、
前記データ交換段階のためのNFC RF技術によってサポートされるように通信を構成するための手段と
を備える装置。
【請求項２６】
構成するための前記手段が、
前記データ交換段階の開始を決定するための手段と、
前記データ交換段階のためのNFC RF技術を使用してサポートされる前記通信を可能にするための手段と
を備える、請求項25に記載の装置。
【請求項２７】
前記1つまたは複数のNFC RF固有のパラメータを取得するための前記手段が、データ交換段階送信ビットレート、およびデータ交換段階受信ビットレートを取得するための手段をさらに備え、前記データ交換段階送信ビットレートおよび前記データ交換段階受信ビットレートが、前記第2のNFC RF技術およびモード値に関連付けられ、前記データ交換段階の間に使用される、請求項26に記載の装置。
【請求項２８】
前記遠隔NFCデバイスが、遠隔NFCタグ、リーダーデバイス、ライターデバイス、NFCカード、および遠隔ピアターゲットデバイスの中から選択された1つを含む、請求項25に記載の装置。
【請求項２９】
前記データ交換段階のためのNFC RF技術が、前記アクティブ化段階のためのNFC RF技術とは異なるデータレート通信をサポートする、請求項25に記載の装置。
【請求項３０】
前記アクティブ化段階およびデータ交換段階のためのNFC RF技術の各々が、NFC-A技術、NFC-B技術、およびNFC-F技術の中から選択された1つを含む、請求項25に記載の装置。
【請求項３１】
前記データ交換段階のためのNFC RF技術に関連付けられたデータレートに基づいて第1のサイズのデータパッケージを転送するための持続時間を推定するための手段
をさらに備える請求項25に記載の装置。
【請求項３２】
前記推定された持続時間に基づいてデータパッケージ転送を始めるオプションのプロンプトを出すための手段と、
前記データパッケージ転送を始めるかどうかを示す応答をユーザから受信するための手段と
をさらに備える請求項31に記載の装置。
【請求項３３】
前記取得された値およびパラメータを含むRFアクティブ通知メッセージを生成するための手段をさらに備える請求項25に記載の装置。
【請求項３４】
前記通信リンクがパッシブ通信リンクおよびアクティブ通信リンクの中の1つのリンクである、請求項25に記載の装置。
【請求項３５】
前記データ交換段階のためのNFC RF技術によって使用されている前記通信リンクに基づいて前記データ交換段階のためのNFC RF技術のために使用可能なカバレージ範囲を推定するための手段
をさらに備える請求項34に記載の装置。
【請求項３６】
前記通信リンクにおける電位の変化、および前記変化に関連付けられた前記推定された使用可能なカバレージ範囲の変化を示す通知のプロンプトを出すための手段
をさらに備える請求項35に記載の装置。
【請求項３７】
通信のための装置であって、
遠隔近距離通信(NFC)デバイスに関連付けられた第1のNFC無線周波数(RF)技術およびモード値ならびに第2のNFC RF技術およびモード値を取得することであって、前記第1のNFC RF技術およびモード値が、通信リンクのアクティブ化段階のためのNFC RF技術に関連付けられた値であるとともに、前記第2のNFC RF技術およびモード値が、前記通信リンクのデータ交換段階のためのNFC RF技術に関連付けられた値である、ことと、
前記アクティブ化段階の間に前記NFCデバイスに関連付けられた1つまたは複数のNFC RF固有のパラメータを取得することと、
前記データ交換段階のためのNFC RF技術によってサポートされるように通信を構成することと、
を行うように構成されたNFCコントローラ
を備える装置。
【請求項３８】
前記NFCコントローラが、
前記データ交換段階の開始を決定し、
前記データ交換段階のためのNFC RF技術を使用してサポートされる前記通信を可能にする
ように構成される、請求項37に記載の装置。
【請求項３９】
前記NFCコントローラが、データ交換段階送信ビットレート、およびデータ交換段階受信ビットレートを取得するようにさらに構成され、前記データ交換段階送信ビットレートおよび前記データ交換段階受信ビットレートが、前記第2のNFC RF技術およびモード値に関連付けられ、前記データ交換段階の間に使用される、請求項38に記載の装置。
【請求項４０】
前記遠隔NFCデバイスが、遠隔NFCタグ、リーダーデバイス、ライターデバイス、NFCカード、および遠隔ピアターゲットデバイスの中から選択された1つを含む、請求項37に記載の装置。
【請求項４１】
前記データ交換段階のためのNFC RF技術が、前記アクティブ化段階のためのNFC RF技術とは異なるデータレート通信をサポートする、請求項37に記載の装置。
【請求項４２】
前記アクティブ化段階およびデータ交換段階のためのNFC RF技術の各々が、NFC-A技術、NFC-B技術、およびNFC-F技術の中から選択された1つを含む、請求項37に記載の装置。
【請求項４３】
前記NFCコントローラが、
前記データ交換段階のためのNFC RF技術に関連付けられたデータレートに基づいて第1のサイズのデータパッケージを転送するための持続時間を推定する
ようにさらに構成される、請求項37に記載の装置。
【請求項４４】
前記NFCコントローラが、
前記推定された持続時間に基づいてデータパッケージ転送を始めるためのオプションのプロンプトを出し、
前記データパッケージ転送を始めるかどうかを示す応答をユーザから受信する
ようにさらに構成される、請求項43に記載の装置。
【請求項４５】
前記NFCコントローラが、前記取得された値およびパラメータを含むRFアクティブ通知メッセージを生成するようにさらに構成される、請求項37に記載の装置。
【請求項４６】
前記通信リンクがパッシブ通信リンクおよびアクティブ通信リンクの中の1つのリンクである、請求項37に記載の装置。
【請求項４７】
前記NFCコントローラが、
前記データ交換段階のためのNFC RF技術によって使用されている前記通信リンクに基づいて前記データ交換段階のためのNFC RF技術のために使用可能なカバレージ範囲を推定する
ようにさらに構成される、請求項46に記載の装置。
【請求項４８】
前記通信リンクにおける電位の変化、および前記変化に関連付けられた前記推定された使用可能なカバレージ範囲の変化を示す通知のプロンプトを出す
ように構成されるユーザインターフェースをさらに備える請求項47に記載の装置。
【発明の詳細な説明】
【技術分野】
【０００１】
米国特許法第119条による優先権の主張
本特許出願は、本出願の譲受人に譲渡され、参照により本明細書に明確に組み込まれる、2011年5月31日に出願された「METHODS AND APPARATUS FOR IMPROVING NFC ACTIVATION MECHANISMS」と題する米国仮出願第61/491,788号の優先権を主張する。
【０００２】
開示する態様は、一般に、デバイス間の通信に関し、詳細には、近距離通信(NFC)デバイスにおけるアクティブ化を報告するための機構を向上させるための方法およびシステムに関する。
【背景技術】
【０００３】
技術における進歩は、小型でより高性能なパーソナルコンピューティングデバイスをもたらしている。たとえば、現在、各々小型で、軽量で、ユーザが簡単に持ち運ぶことができる、携帯式のワイヤレス電話、携帯情報端末(PDA)、およびページングデバイスのような、ワイヤレスコンピューティングデバイスを含む、様々なパーソナルコンピューティングデバイスが存在する。より具体的には、携帯式のワイヤレス電話は、たとえば、ワイヤレスネットワークを介して音声およびデータパケットを通信するセルラー電話をさらに含む。多くのそのようなセルラー電話は、コンピューティング機能を常に増加させて製造されており、したがって、小型のパーソナルコンピュータおよびハンドヘルドPDAと同等になっている。さらに、そのようなデバイスは、たとえばセルラー通信、ワイヤレスローカルエリアネットワーク(WLAN)通信、NFCなど、様々な周波数および適用可能なカバレージエリアを使用した通信を可能にしている。
【０００４】
NFC対応デバイスは、最初に、リモートNFCデバイス(たとえば、NFCタグ、ターゲットデバイスなど)を検出することができる。その後、リモートNFCデバイスに関連付けられた情報を提供するために、NFC対応デバイス内で通知が生成され得る。表1を参照すると、例示的な通知(たとえば、RF_ACTIVATE_NTFメッセージ)が提供される。表1に記載の表がNFC規格に記載されている表(含まれない)に対応することに留意されたい。
【０００５】
【表１】
0006033287.tif 000002
【０００６】
表1から明らかであるように、通知は、たとえば「NFC RF技術およびモード」および「NFC RF技術固有のパラメータ」などの情報を含む。ひとたび十分な情報が収集されると、通知が生成され、情報を収集するために使用されるNFC RF技術(たとえば、NFC-A、NFC-B、NFC-Fなど)についての情報とともに送られ得る。現在、データ交換のために使用されるビットレートおよび/またはNFC RF技術が情報の収集において使用されたものとは異なる旨の情報を通知に含める手段がない。表1ベースの通知は、アクティブ化の間に行われたことがデータ交換の間に依然として有効であることについてデバイスが想定することを必要とし得る。一例として、情報の収集は、106kbit/sでNFC-Aを使用して行われ得るが、データ交換は、212kbit/sまたは424kbit/sでNFC-Fに切り替わり得る。表1に示すように、通知は、NFC RF技術の変化を報告する方法、または次のデータ交換のために選択され得る実際のビットレートを提供しない。
【発明の概要】
【発明が解決しようとする課題】
【０００７】
したがって、NFCデバイスのためのアクティブ化およびデータ交換におけるNFC RF技術の使用を報告するための機構を提供する改良された装置および方法が望まれ得る。
【課題を解決するための手段】
【０００８】
以下で、1つまたは複数の態様の基本的理解を与えるために、そのような態様の概要を提示する。この概要は、すべての企図された態様の包括的な概観ではなく、すべての態様の主要または重要な要素を識別するものでも、いずれかまたはすべての態様の範囲を定めるものでもない。その目的は、後で提示するより詳細な説明の導入として、1つまたは複数の態様のいくつかの概念を提示することである。
【０００９】
様々な態様は、NFCデバイスのためのアクティブ化およびデータ交換におけるNFC RF技術の使用を報告するための機構の改良に関して説明する。一例では、NFCデバイスでは、NFCCは、第1の無線周波数(RF)技術およびモード値、第2のRF技術およびモード値、ならびに第1のNFC RF技術を使用した通信リンクのアクティブ化段階の間に遠隔近距離通信(NFC)デバイスに関連付けられた1つまたは複数のRF固有のパラメータを取得するように構成され得る。一態様では、1つまたは複数のRF固有のパラメータおよび第1のNFC RF技術は、第1のRF技術およびモード値に基づき得る。NFCCは、通信リンクのデータ交換段階の間に使用するための第2のNFC RF技術によってサポートされるように通信を構成するように、さらに構成され得る。一態様では、第2のNFC RF技術は、第2のRF技術およびモード値に基づき得る。
【００１０】
関係する態様によれば、方法は、NFCデバイスのためのアクティブ化およびデータ交換におけるNFC RF技術の使用を報告するための機構を提供する。方法は、第1の無線周波数(RF)技術およびモード値、第2のRF技術およびモード値、ならびに第1のNFC RF技術を使用した通信リンクのアクティブ化段階の間に遠隔近距離通信(NFC)デバイスに関連付けられた1つまたは複数のRF固有のパラメータを取得するステップを含み得る。一態様では、1つまたは複数のRF固有のパラメータおよび第1のNFC RF技術は、第1のRF技術およびモード値に基づき得る。さらに、方法は、通信リンクのデータ交換段階の間に使用するための第2のNFC RF技術によってサポートされるように通信を構成するステップを含み得る。一態様では、第2のNFC RF技術は、第2のRF技術およびモード値に基づき得る。
【００１１】
別の態様は、通信装置に関する。ワイヤレス通信装置は、第1の無線周波数(RF)技術およびモード値、第2のRF技術およびモード値、ならびに第1のNFC RF技術を使用した通信リンクのアクティブ化段階の間に遠隔近距離通信(NFC)デバイスに関連付けられた1つまたは複数のRF固有のパラメータを取得するための手段を含み得る。一態様では、1つまたは複数のRF固有のパラメータおよび第1のNFC RF技術は、第1のRF技術およびモード値に基づき得る。さらに、通信装置は、通信リンクのデータ交換段階の間に使用するための第2のNFC RF技術によってサポートされるように通信を構成するための手段を含み得る。一態様では、第2のNFC RF技術は、第2のRF技術およびモード値に基づき得る。
【００１２】
別の態様は、通信装置に関する。装置は、第1の無線周波数(RF)技術およびモード値、第2のRF技術およびモード値、ならびに第1のNFC RF技術を使用した通信リンクのアクティブ化段階の間に遠隔近距離通信(NFC)デバイスに関連付けられた1つまたは複数のRF固有のパラメータを取得するように構成されたNFCコントローラ(NFCC)を含み得る。一態様では、1つまたは複数のRF固有のパラメータおよび第1のNFC RF技術は、第1のRF技術およびモード値に基づき得る。NFCCは、通信リンクのデータ交換段階の間に使用するための第2のNFC RF技術によってサポートされるように通信を構成するようにも構成され得る。一態様では、第2のNFC RF技術は、第2のRF技術およびモード値に基づき得る。
【００１３】
別の態様は、第1の無線周波数(RF)技術およびモード値、第2のRF技術およびモード値、ならびに第1のNFC RF技術を使用した通信リンクのアクティブ化段階の間に遠隔近距離通信(NFC)デバイスに関連付けられた1つまたは複数のRF固有のパラメータを取得するためのコードを備えるコンピュータ可読媒体を有し得るコンピュータプログラム製品に関する。一態様では、1つまたは複数のRF固有のパラメータおよび第1のNFC RF技術は、第1のRF技術およびモード値に基づき得る。コンピュータ可読媒体は、通信リンクのデータ交換段階の間に使用するための第2のNFC RF技術によってサポートされるように通信を構成するためのコードも含み得る。一態様では、第2のNFC RF技術は、第2のRF技術およびモード値に基づき得る。
【００１４】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に説明する。しかしながら、これらの特徴は、様々な態様の原理が利用され得る様々な方法のうちのいくつかを示すものにすぎず、この説明は、そのようなすべての態様およびそれらの等価物を含むものとする。
【００１５】
開示される態様を限定するためではなく例示するために与えられる添付の図面とともに、開示される態様が以下で説明され、同様の記号表示は同様の要素を示している。
【図面の簡単な説明】
【００１６】
【図１】一態様による、ワイヤレス通信システムのブロック図である。
【図２】一態様による、ワイヤレス通信システムの概略図である。
【図３】一態様による、NFC環境のブロック図である。
【図４】一態様による、NFCデバイスのためのアクティブ化およびデータ交換におけるNFC RF技術の使用を報告するための機構を向上させるための一例を示すフロー図である。
【図５】一態様による、通信デバイスの例示的なアーキテクチャの機能ブロック図である。
【図６】一態様による、NFCデバイスのためのアクティブ化およびデータ交換におけるNFC RF技術の使用を報告するための機構を向上させるための例示的な通信システムの機能ブロック図である。
【発明を実施するための形態】
【００１７】
次に、図面を参照しながら様々な態様について説明する。以下の説明では、説明の目的で、1つまたは複数の態様の完全な理解を与えるために多数の具体的な詳細が記載される。ただし、そのような態様をこれらの具体的な詳細なしに実施できることを理解されたい。
【００１８】
一般に、デバイスは、NFCデバイス、リーダー/ライター、カードおよび/またはタグのカバレージエリアの範囲内であるとき、NFCターゲットデバイスおよび/またはタグを認識することができる。その後、NFCデバイスは、通信の確立を可能にするのに十分な情報を取得することができる。本明細書で説明するように、NFCデバイス間の通信は、たとえば、限定はしないが、NFC-A、NFC-B、NFC-Fなど、様々なNFC技術を介して可能になり得る。さらに、通信の異なる段階(たとえばアクティブ化段階、データ交換段階など)の間に、様々なNFC技術が可能になり得る。
【００１９】
「ワイヤレス電力」という語は、物理電磁導体を使用せずに送信機から受信機に送信される電界、磁場、電磁界などに関連付けられた任意の形のエネルギーを意味するために本明細書で使用される。
【００２０】
図1は、本発明の様々な例示的な実施形態による、ワイヤレス送信または充電システム100を示す。エネルギー伝達を供給するための放射界106を生成するために、送信機104に入力電力102が供給される。受信機108は、放射界106に結合され、出力電力110に結合されたデバイス(図示せず)によって記憶または消費するための出力電力110を生成する。送信機104と受信機108の両方は、ある距離112だけ離れている。例示的な一実施形態では、送信機104および受信機108は、相互共振関係に従って構成されており、受信機108の共振周波数と送信機104の共振周波数とが非常に近いとき、送信機104と受信機108との間の送信損失は、受信機108が放射界106の「近距離」に位置するとき、最小である。
【００２１】
送信機104は、エネルギー送信のための手段を提供するための送信アンテナ114をさらに含む。受信機108は、エネルギー受信のための手段として、受信アンテナ118を含む。送信アンテナおよび受信アンテナは、それらに関連付けられたアプリケーションおよびデバイスに従って、サイズ決定される。上述のように、電磁波中のエネルギーのほとんどを遠距離に伝播するというよりむしろ、送信アンテナの近距離中のエネルギーの大部分を受信アンテナに結合することによって、効率的なエネルギー伝達が生じる。この近距離内にあるとき、送信アンテナ114と受信アンテナ118との間で結合モードが展開され得る。この近距離結合が生じ得るアンテナ114および118の周囲のエリアは、本明細書では、結合モード領域と呼ぶ。
【００２２】
図2は、例示的な近距離ワイヤレス通信システムの概略図である。送信機104は、発振器122、電力増幅器124、ならびにフィルタおよび整合回路126を含む。発振器は、所望の周波数で信号を生成するように構成され、所望の周波数は、調整信号123に応答して調整され得る。制御信号125に応答する増幅量で、電力増幅器124によって、発振器信号を増幅することができる。フィルタおよび整合回路126は、高調波または他の不要な周波数をフィルタ除去し、送信機104のインピーダンスを送信アンテナ114に整合させるために含まれ得る。
【００２３】
受信機108は、DC電力出力を生成して、図2に示すようにバッテリー136を充電するために、または受信機に結合されているデバイス(図示せず)に電力供給するために、整合回路132ならびに整流器およびスイッチング回路134を含み得る。受信機108のインピーダンスを受信アンテナ118に一致させるために、整合回路132を含み得る。受信機108および送信機104は、個別の通信チャネル119(たとえば、Bluetooth(登録商標)、zigbee (登録商標)、セルラーなど)において通信することができる。
【００２４】
図3を参照すると、一態様による通信ネットワーク300のブロック図が示される。通信ネットワーク300は、アンテナ324を介して、1つまたは複数のNFC技術326(たとえばNFC-A、NFC-B、NFC-Fなど)を使用して遠隔NFCデバイス330と通信し得る通信デバイス310を含み得る。別の態様では、通信デバイス310は、アクセスネットワークおよび/またはコアネットワーク(たとえば、CDMAネットワーク、GPRSネットワーク、UMTSネットワーク、および他のタイプの有線およびワイヤレスの通信ネットワーク)に接続されるように構成され得る。
【００２５】
一態様では、通信デバイス310は、NFCコントローラ312、NFCコントローラインターフェース(NCI)322、およびデバイスホスト340を含み得る。一態様では、デバイスホスト340は、遠隔NFCエンドポイント330に関連付けられたNFCモジュール332を介して、遠隔NFCエンドポイント330から情報を、NCI322およびNFCコントローラ312を介して取得するように構成され得る。
【００２６】
通信リンクの確立の一部として、NFCコントローラ312は、NCI322を介して、遠隔NFCデバイス330から情報を取得することができる。そのような情報は、第1のRF技術およびモード値314、第2のRF技術およびモード値316、第2のNFC RF技術に関連付けられたデータ送信レート318、および第2のNFC RF技術に関連付けられたデータ受信レート320を含み得る。さらに、一態様では、NFCコントローラ312は、取得されたNFC情報を通知(たとえば、RF_ACTIVATE_NTFメッセージ)に集約するように構成され得る。限定ではなく例として、表2は、NFCコントローラ312が生成することができる通知メッセージを提供する。表1と表2との間の違いが表2に太字を使用して示されている。
【００２７】
【表２】
0006033287.tif 000003
【００２８】
本明細書で使用するポーリングモードは、通信デバイス310が送信しているモードとして定義され得、リスナーモードは、通信デバイス310が通信を受信するために使用可能であるモードとして定義され得る。上述したように、表2に記載の表はNFC規格(含まれない)に記載されている表に対応する。
【００２９】
表1と比較して表2を参照すると、通知に含まれる追加のパラメータによって、アクティブ化の後に使用するために選択された値についての情報を報告することができる。したがって、通知は、アクティブ化の間に収集される情報と、アクティブ化の後使用するために交渉されるパラメータ(たとえば、データ交換中)の両方を含むように拡張され得る。さらに、選択されたターゲット処理/RFプロトコルに応じて、NFCコントローラ312は、RFインターフェースをアクティブ化する前に、プロトコルアクティブ化手順を実行し得る。プロトコルアクティブ化は、RFインターフェースごとに異なり得る。一般に、RF_ACTIVATE_NTFで通信されるターゲット処理値は、状態がアイドル状態(たとえばRFST_IDLE)に変更されるまで有効である。
【００３０】
RFインターフェースのアクティブ化の前のすべての段階がうまく実行されると、NFCコントローラ312は、デバイスホスト340に、アクティブ化されたRFインターフェースに関する情報(RFインターフェースタイプ)を含む通知(たとえばRF_ACTIVATE_NTF)を送ることができる。NFCコントローラ312は、アクティブ化パラメータも通知に含めることができる。アクティブ化パラメータは、RFインターフェースごとに異なり得るが、RF_ACTIVATE_NTFにおける他のパラメータは、RF_DISCOVER_NTFメッセージに使用されるものと同じであり得る。NFCコントローラ312は、アクティブ化プロセス(たとえば、アクティブ化NFC RF技術およびモード)の間に使用されたNFC RF技術およびモードを通知に含めることができる。NFCコントローラ312は、アクティブ化プロセスの間に収集され得た任意のNFC RF技術固有のパラメータも含める。これらの含められたパラメータは、アクティブ化プロセスの間に使用されたRF技術およびモード値のために定義され得る。RFプロトコルがPROTOCOL_NFC_DEPまたはPROTOCOL_ISO_DEPである場合、NFCコントローラ312は、アクティブ化の間に確立されたポーリングからリッスンへのビットレートおよびリッスンからポーリングへのビットレート、ならびにその後のデータ交換のために使用され得るポーリングからリッスンへのビットレートおよびリッスンからポーリングへのビットレートを含み得る。RFプロトコルがPROTOCOL_NFC_DEPまたはPROTOCOL_ISO_DEP以外である場合、NFCコントローラ312は、その後のデータ交換のために使用され得るポーリングからリッスンへのビットレートおよびリッスンからポーリングへのビットレートを含み得る。
【００３１】
一態様では、たとえば第1のRF技術およびモード値314および第2のRF技術およびモード値316などの情報を通知に明示的に含めることによって、NFCコントローラ312は、パッシブ通信リンク(たとえば、ISO18092のパッシブ通信リンク)からアクティブ通信リンク(たとえば、ISO18092のアクティブ通信リンク)への変更に関連する情報を提供する可能性もサポートする。ISO18092のアクティブ通信リンクは、ISO18092のパッシブ通信リンクよりも良好な範囲を提供することができる。そのような追加の範囲は、アクティブ化通知を受信することができる通信デバイス310に関連付けられたアプリケーションおよび/またはモジュールに有用であり得る。
【００３２】
動作の態様で、RFプロトコルがPROTOCOL_NFC_DEPである場合、NFCコントローラ312は、アクティブ化の間に確立されたNFC RF技術およびモード、ならびにその後のデータ交換のために使用され得るNFC RF技術およびモードを含み得る。BITR_NFC_DEPで指定されている値のため、アクティブ化の間にビットレートが変更された場合、NFC RF技術およびモードは、NFC RF技術固有のパラメータの性質を定義するものと異なり得ることに留意されたい。RFプロトコルがPROTOCOL_NFC_DEP以外の何かであると決定された場合、NFCコントローラ312は、その後のデータ交換のために使用され得るRF技術およびモード値を含み得る。
【００３３】
NFCコントローラ312は、アクティブ化段階とデータ交換段階の両方のために、情報をデバイスホスト340に提供し得る。したがって、たとえば表2に示されるものなど、拡張された通知は、データ交換の間にNFCコントローラ312によって経験される状態と同期していない可能性があるアクティブ化の間に収集されるデータの曖昧さを解決することができる。
【００３４】
さらに、NFCコントローラ312によって生成される通知は、その後のデータ交換のために使用され得る選択された受信および送信データレートに関して、情報をデバイスホスト340に提供することができる。動作時、限定ではなく例として、受信および送信データレートに関連付けられた情報によって、通信デバイス310は、所与のデータ量を転送するための推定された時間値を計算することができる。そのような態様では、アプリケーションによって使用され得る推定された時間値は、データ転送の開始に先立って、たとえばポップアップメッセージなどのメッセージを通信デバイス310に提供する。そのようなメッセージは、データ転送を始めるべきかどうかを決定するようユーザを促すことができる。たとえば、メッセージは、「転送するように選択したファイルは、転送に約15分かかります。続行しますか(Y/N)?」という旨を示し得る。このプロンプト方式は、特にNFCに関連付けられた速度をよく知らないユーザのために、ユーザエクスペリエンスを向上させ得る。
【００３５】
たとえば、第1のRF技術およびモード値が106kbpsでの通信を示す場合、通信デバイス310は、NFC-Aを使用することができ、424kbpsが使用される場合、通信デバイス310は、NFC-Fを使用することができる。将来のリリースは106kbps以外のビットレートにNFC-Aを使用でき得るので、これらの値は、一例として提供されている。別の例では、アクティブ化はNFC-Aを使用して行われ、しかし、データ交換は212kbpsまたは424kbpsで行われるように構成される場合、データ交換のために使用されるNFC RF技術は、NFC-Fとすることができる。逆に、アクティブ化はNFC-Fを使用して行われ、しかし、データ交換は106kbpsで行われるように構成される場合、データ交換のために使用されるNFC RF技術は、NFC-Aとすることができる。
【００３６】
したがって、通信システム300は、アクティブ化およびデータ交換におけるNFC RF技術の使用をデバイスホスト340に報告するために、改良された機構を通信デバイス310がNFCコントローラ312に提供できるようにするために、遠隔NFCデバイス330が情報を通信することができる環境を提供する。
【００３７】
図4は、提示した主題の様々な態様による様々な方法を示す。説明を簡単にするために、方法は、一連の行為またはシーケンスステップとして図示および説明しているが、いくつかの行為は、本明細書で図示および説明したものと異なる順序で、かつ/または他の行為と同時に行うことができるため、特許請求する主題は、行為の順序によって限定されないことを理解し、諒解されたい。たとえば、方法は、代わりに、状態図においてなど、一連の相互に関係する状態またはイベントとして表すことができることを、当業者であれば理解し、諒解されよう。さらに、特許請求する主題に従って方法を実施するために、示したすべての行為が必要とされ得るわけではない。さらに、以下および本明細書の全体にわたって開示される方法を製造品に記憶して、そのような方法をコンピュータにトランスポートし、伝達するのを容易にすることができることをさらに諒解されたい。製造品の用語は、本明細書で使用する場合、任意のコンピュータ可読デバイス、キャリア、または媒体からアクセス可能なコンピュータプログラムを含むものとする。
【００３８】
次に図4を参照すると、NFCデバイスにおけるアクティブ化およびデータ交換パラメータの報告を向上させるためのNFCCの例示的なプロセス400を記載するフローチャートが示される。
【００３９】
ブロック402で、遠隔NFCデバイスの存在が通信デバイスによって検出され得る。一態様では、遠隔NFCデバイスは、NFCタグ、ライターデバイス、リーダーデバイス、NFCカード、ターゲットピアデバイスなどを含み得る。別の態様では、遠隔NFCデバイスは、第1のNFC RF技術(たとえば、アクティブ化モードNFC RF技術)を使用して検出され得る。
【００４０】
ブロック404で、通信デバイスに関連付けられたNFCCは、第1のNFC RF技術に関連付けられた値を取得することができる。一態様では、第1のNFC RF技術に関連付けられた値は、表1を参照しながら説明され得る。一態様では、第1のNFC RF技術は、NFC-A技術、NFC-B技術またはNFC-F技術のうちの1つであり得る。さらに、第2のNFC RF技術に関連付けられた値が取得され得る。一態様では、第2のNFC RF技術は、第1のNFC RF技術とは異なる。そのような態様では、第1および第2のRF技術は、異なるデータレートを使用して通信するように構成され得る。別の態様では、第2のNFC RF技術に関連付けられた値は、表2を参照しながら説明され得る。一態様では、第2のNFC RF技術は、NFC-A技術、NFC-B技術またはNFC-F技術のうちの1つであり得る。さらに、別の態様では、第2のNFC RF技術は、データ交換段階の間に使用され得、一方、第1のNFC RF技術は、アクティブ化段階の間に使用され得る。
【００４１】
ブロック406で、NFCCは、NFC RF技術固有の値を取得することができる。たとえば、ポーリングモードおよびリスニングモードの間に使用されるデータレートが、第1のおよび/または第2のRF技術のために取得され得る。
【００４２】
ブロック408で、NFCCは、通信リンクに関連付けられた取得された値の少なくとも一部分を報告するための通知メッセージを構成することができる。一態様では、通知メッセージは、表2に示されているようにフォーマットされ得る。別の態様では、通知メッセージは、デバイスホストに通信され得る。
【００４３】
任意の態様では、ブロック410で、通信デバイスは、通信リンクに関連付けられた1つまたは複数の値を推定することができる。一態様では、通信デバイスは、第2のNFC RF技術に関連付けられたデータレートに基づいて第1のサイズのデータパッケージを転送するための持続時間を推定することができる。そのような態様では、通信デバイスは、さらに、推定された持続時間に基づいてデータパッケージ転送を始めるためのオプションのプロンプトを出し、データパッケージ転送を始めるかどうかを示す応答をユーザから受信することができる。別の態様では、通信デバイスは、第2のNFC RF技術によって使用されているパッシブ通信リンクまたはアクティブ通信リンクに基づいて第2のNFC RF技術のために使用可能なカバレージ範囲を推定することができる。そのような態様では、通信デバイスは、通信リンクにおける電位変化、および変化に関連付けられた推定された使用可能なカバレージ範囲の変化を示す通知のプロンプトを出すことができる。
【００４４】
図3を参照しながら、次に図5も参照すると、通信デバイス510の例示的なアーキテクチャが示される。図5に示すように、通信デバイス500は、たとえば、受信アンテナ(図示せず)から信号を受信し、受信信号に典型的なアクション(たとえばフィルタ処理、増幅、ダウンコンバートなど)を実行し、条件付きの信号をデジタル化してサンプルを取得する受信機502を含む。受信機502は、受信シンボルを復調し、それらをチャネル推定のためにプロセッサ506に提供することができる復調器504を含むことができる。プロセッサ506は、受信機502によって受信される情報を分析し、および/または送信機520による送信のための情報を生成する専用のプロセッサ、デバイス500の1つもしくは複数の構成要素を制御するプロセッサ、および/または、受信機502によって受信される情報を共に分析し、送信機520によって送信するための情報を生成し、通信デバイス500の1つもしくは複数の構成要素を制御するプロセッサなどとすることができる。さらに、信号は、プロセッサ506によって処理される信号を変調することができる変調器518を介して、送信機520による送信の準備ができ得る。
【００４５】
通信デバイス500は、プロセッサ506に動作可能に結合され、送信すべきデータ、受信されたデータ、使用可能なチャネルに関連する情報、TCPフロー、分析された信号および/または干渉強度に関連付けられたデータ、割り当てられたチャネル、電力、レートなどに関連する情報、およびチャネルを推定し、チャネルを介して通信するための任意の他の適切な情報を格納することができるメモリ508をさらに含むことができる。
【００４６】
さらに、プロセッサ506またはNFCコントローラ530のうちの少なくとも1つは、第1の無線周波数(RF)技術およびモード値、第2のRF技術およびモード値、ならびに第1のNFC RF技術を使用した通信リンクのアクティブ化段階の間に遠隔近距離通信(NFC)デバイスに関連付けられた1つまたは複数のRF固有のパラメータを取得するための手段と、通信リンクのデータ交換段階の間に使用するための第2のNFC RF技術によってサポートされるように通信を構成するための手段とを提供することができる。一態様では、1つまたは複数のRF固有のパラメータおよび第1のNFC RF技術は、第1のRF技術およびモード値に基づき得る。一態様では、第2のNFC RF技術は、第2のRF技術およびモード値に基づき得る。
【００４７】
本明細書で説明するデータストア(たとえば、メモリ508)は、揮発性メモリもしくは不揮発性メモリのいずれかとすることができる、または揮発性と不揮発性の両方のメモリを含むことができることは諒解されよう。限定ではなく例として、不揮発性メモリには、読取り専用メモリ(ROM)、プログラマブルROM(PROM)、電気的プログラマブルROM(EPROM)、電気的消去可能PROM(EEPROM)、またはフラッシュメモリを含み得る。揮発性メモリは、ランダムアクセスメモリ(RAM)を含むことができ、これは外部キャッシュメモリとして働く。限定ではなく例として、RAMは、同期RAM(SRAM)、ダイナミックRAM(DRAM)、同期DRAM(SDRAM)、ダブルデータレートSDRAM(DDR SDRAM)、拡張SDRAM(ESDRAM)、シンクリンクDRAM(SLDRAM)、およびダイレクトRambus RAM(DRRAM)など、多くの形で使用可能である。対象のシステムおよび方法のメモリ508は、それだけに限定されないが、これらおよび任意の他の適切なタイプのメモリを含み得る。
【００４８】
通信デバイス500は、NFCコントローラ530を含み得る。一態様では、NFCコントローラ530は、NCI550を介して、他のデバイス、たとえば遠隔NFCデバイス330などから情報を取得することができる。そのような情報は、第1のNFC RF技術534および/または第2のNFC RF技術536に関連付けられ得る。たとえば、情報は、第1のRF技術およびモード値、第2のRF技術およびモード値、第2のNFC RF技術に関連付けられたデータ送信レート、および第2のNFC RF技術に関連付けられたデータ受信レートを含み得る。さらに、一態様では、NFCコントローラ530は、取得されたNFC情報を通知(たとえば、RF_ACTIVATE_NTFメッセージ)に集約し得る。通知は、デバイスホスト560に通信され得る。上述したように、限定ではなく例として、表2は、NFCコントローラ530が生成することができる通知メッセージを提供する。
【００４９】
別の態様では、通信デバイス500は、NFCコントローラインターフェース(NCI)550を含み得る。一態様では、NCI550は、NFC対応アンテナ(たとえば、502、520)、NFCコントローラ530、およびデバイスホスト560の間の通信を可能にするように構成され得る。
【００５０】
さらに、通信デバイス500は、ユーザインターフェース540を含むことができる。ユーザインターフェース540は、通信デバイス500への入力を生成するための入力機構542、および通信デバイス500のユーザによる消費のための情報を生成するための出力機構544を含むことができる。たとえば、入力機構542は、キーまたはキーボード、マウス、タッチスクリーンディスプレイ、マイクロフォンなどの機構を含み得る。さらに、たとえば、出力機構544は、ディスプレイ、オーディオスピーカー、触覚フィードバック機構、パーソナルエリアネットワーク(PAN)トランシーバなどを含み得る。図示された態様では、出力機構544は、画像またはビデオ形式のメディアコンテンツを提示するように構成されたディスプレイ、またはオーディオ形式のメディアコンテンツを提示するオーディオスピーカーを含むことができる。動作時、限定ではなく例として、受信および送信データレートに関連付けられた情報によって、通信デバイス500は、所与のデータ量を転送するための推定された時間値を計算することができる。そのような態様では、アプリケーションによって使用され得る推定された時間値は、データ転送の開始に先立って、たとえばポップアップメッセージなどのメッセージを、出力機構544を介して提供する。そのようなメッセージは、データ転送を始めるべきかどうかを決定するようユーザを促すことができる。たとえば、メッセージは、「転送するように選択したファイルは、転送に約15分かかります。続行しますか(Y/N)?」という旨を示し得る。ユーザは、入力機構542を使用して1つまたは複数の応答オプションが提供され得る。このプロンプト方式は、特にNFCに関連付けられた速度をよく知らないユーザのために、ユーザエクスペリエンスを向上させ得る。
【００５１】
図6は、一態様による、NFCデバイスのためのアクティブ化およびデータ交換におけるNFC RF技術の使用を報告するための機構を提供するように構成された例示的な通信システム600を示すブロック図である。たとえば、システム600は、通信デバイス(たとえば通信デバイス500)内に少なくとも部分的に常駐し得る。システム600は機能ブロックを含むものとして表されており、プロセッサ、ソフトウェア、またはそれらの組合せ(たとえば、ファームウェア)によって実装される機能を表し得ることを諒解されたい。システム600は、連携して作動することができる電気的構成要素の論理的グルーピング602を含む。
【００５２】
たとえば、論理的グルーピング602は、第1のRF技術およびモード値、第2のRF技術およびモード値、ならびに第1のNFC RF技術を使用した通信リンクのアクティブ化段階の間に遠隔近距離通信(NFC)デバイスに関連付けられた1つまたは複数のRF固有のパラメータを取得するための手段を提供し得る電気的構成要素604を含むことができる。一態様では、RF固有のパラメータおよび第1のNFC RF技術は、第1のRF技術およびモード値に基づき得る。一態様では、遠隔NFCデバイスは、遠隔NFCタグ、リーダーデバイス、ライターデバイス、NFCカード、遠隔ピアデバイスなどを含み得る。一態様では、第1のNFC RF技術は、第2のNFC RF技術とは異なり得る。そのような態様では、第2のNFC RF技術は、第1のNFC RF技術とは異なるデータレート通信をサポートし得る。一態様では、第1および第2のRF技術の各々は、NFC-A技術、NFC-B技術、NFC-F技術などを含み得る。一態様では、通信リンクは、アクティブ通信リンクまたはパッシブ通信リンクであり得る。別の態様では、電気的構成要素604は、データ交換段階送信ビットレート、およびデータ交換段階受信ビットレートを取得するための手段をさらに提供し得る。そのような態様では、データ交換段階送信ビットレート、およびデータ交換段階受信ビットレートは、第2のRF技術およびモード値に関連付けられ得、データ交換段階の間に使用され得る。
【００５３】
さらに、論理的グルーピング602は、通信リンクのデータ交換段階の間に使用するための第2のNFC RF技術によってサポートされるように通信を構成するための手段を提供し得る電気的構成要素606を含むことができる。一態様では、第2のNFC RF技術は、第2のRF技術およびモード値に基づき得る。一態様では、電気的構成要素606は、データ交換段階の開始を決定するための手段、および第2のNFC RF技術を使用してサポートされる通信を可能にするための手段を提供することができる。
【００５４】
さらに、オプションの態様では、論理的グルーピング602は、取得された値およびパラメータを含むRFアクティブ通知メッセージを生成するための手段を提供することができる電気的構成要素608を含むことができる。
【００５５】
さらに、オプションの論理的グルーピング602では、データパッケージを転送するための持続時間、および/または第2のNFC RF技術のために使用可能なカバレージ範囲を推定するための手段を提供することができる電気的構成要素610を含むことができる。一態様では、オプションの電気的構成要素610は、第2のNFC RF技術に関連付けられたデータレートに基づいて第1のサイズのデータパッケージを転送するための持続時間を推定するための手段を提供することができる。別の態様では、通信リンクはパッシブ通信リンクまたはアクティブ通信リンクのいずれかであり、オプションの電気的構成要素610は、第2のNFC RF技術によって使用されているパッシブ通信リンクまたはアクティブ通信リンクに基づいて第2のNFC RF技術のために使用可能なカバレージ範囲を推定するための手段を提供することができる。
【００５６】
さらに、オプションの論理的グルーピング602は、データパッケージを始めるかどうかのオプションおよび/または通信リンクの電位変化を示す通知のプロンプトを出すための手段を提供することができる電気的構成要素612を含むことができる。一態様では、オプションの電気的構成要素612は、推定された持続時間に基づいてデータパッケージ転送を始めるためのオプションのプロンプトを出すための手段、およびデータパッケージ転送を始めるかどうかを示す応答をユーザから受信するための手段を提供することができる。別の態様では、オプションの電気的構成要素612は、通信リンクにおける電位変化、および変化に関連付けられた推定された使用可能なカバレージ範囲の変化を示す通知のプロンプトを出すための手段を提供することができる。
【００５７】
さらに、システム600は、電気的構成要素604、606、608、610、および612に関連付けられた機能を実行するための命令を保持し、電気的構成要素604、606、608、610、612によって使用されるまたは取得されるデータを記憶するメモリ614を含むことができる。電気的構成要素604、606、608、610、および612は、メモリ614の外部にあるものとして示されているが、これらの電気的構成要素604、606、608、610、および612のうちの1つまたは複数は、メモリ614内に存在し得ることを理解されたい。一例では、電気的構成要素604、606、608、610、および612は、少なくとも1つのプロセッサを含むことができ、または、各電気的構成要素604、606、608、610、および612は、少なくとも1つのプロセッサの対応するモジュールとすることができる。さらに、追加または代替の例では、電気的構成要素604、606、608、610、および612は、コンピュータ可読媒体を含むコンピュータプログラム製品とすることができ、各電気的構成要素604、606、608、610、および612は、対応するコードとすることができる。
【００５８】
本出願で使用される場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、構成要素であり得る。1つまたは複数の構成要素が、プロセスおよび/または実行スレッド内に常駐することができ、1つの構成要素が、1つのコンピュータ上に配置されてよく、かつ/または2つ以上のコンピュータ間に分散されてよい。さらに、これらの構成要素は、様々なデータ構造を記憶している様々なコンピュータ可読媒体から実行することができる。これらの構成要素は、信号によって、ローカルシステム、分散システム内の別の構成要素と対話し、かつ/またはインターネットなどのネットワークを介して他のシステムと対話する1つの構成要素からのデータのような1つまたは複数のデータパケットを有する信号に従うことなどによって、ローカルプロセスおよび/またはリモートプロセスによって通信し得る。
【００５９】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、モバイル機器(ME)、リモート端末、アクセス端末、ユーザ端末、端末、通信デバイス、ユーザエージェント、ユーザデバイス、またはユーザ機器(UE)と呼ばれることもある。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。さらに、様々な態様が、基地局に関連して、本明細書で説明される。基地局は、ワイヤレス端末と通信するために使用されてもよく、アクセスポイント、ノードB、またはある他の用語で呼ばれることもあり得る。
【００６０】
さらに、「または」という用語は、排他的な「または」ではなく、包括的な「または」を意味するものとする。すなわち、別段の規定がない限り、または文脈から明白でない限り、「XはAまたはBを使用する」という語句は、自然な包括的置換のいずれかを意味するものとする。すなわち、「XはAまたはBを使用する」という語句は、以下の例のいずれかによって成立する。XはAを使用する。XはBを使用する。XはAとBの両方を使用する。さらに、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００６１】
本明細書で説明される技法は、CDMA、TDMA、FDMA、OFDMA、SC-FDMAおよび他のシステムのような、様々なワイヤレス通信システムに使用され得る。「システム」および「ネットワーク」という用語は、しばしば互換的に使用される。CDMAシステムは、Universal Terrestrial Radio Access(UTRA)、cdma2000などの無線技術を実装することができる。UTRAは、Wideband-CDMA(WCDMA (登録商標))およびCDMAの他の変形形態を含む。さらに、cdma2000は、IS-2000、IS-95およびIS-856規格をカバーする。TDMAシステムは、Global System for Mobile Communications(GSM(登録商標))などの無線技術を実装することができる。OFDMAシステムは、Evolved UTRA(E-UTRA)、Ultra Mobile Broadband(UMB)、IEEE802.11(Wi-Fi)、IEEE802.16(WiMAX)、IEEE802.20、Flash-OFDMAなどの無線技術を実装し得る。UTRAおよびE-UTRAは、Universal Mobile Telecommunication System(UMTS)の一部である。3GPP Long Term Evolution(LTE)は、ダウンリンク上ではOFDMAを利用し、アップリンク上ではSC-FDMAを利用する、E-UTRAを使用するUMTSのリリースである。UTRA、E-UTRA、UMTS、LTEおよびGSM(登録商標)は、「3rd Generation Partnership Project」(3GPP)と称する組織からの文書に記載されている。さらに、cdma2000およびUMBは、「3rd Generation Partnership Project 2」(3GPP2)と称する組織からの文書に記載されている。さらに、そのようなワイヤレス通信システムは、不対無資格スペクトル、802.xxワイヤレスLAN、Bluetooth(登録商標)、近距離通信(NFC-A、NFC-B、NFC-fなど)、および任意の他の短距離または長距離ワイヤレス通信技法をしばしば使用するピアツーピア(たとえば、モバイルツーモバイル)アドホックネットワークシステムをさらに含み得る。
【００６２】
いくつかのデバイス、構成要素、モジュールなどを含み得るシステムに関して、様々な態様または特徴が提示される。様々なシステムが、追加のデバイス、構成要素、モジュールなどを含んでもよく、かつ/または各図に関連して論じられるデバイス、構成要素、モジュールなどのすべてを含むとは限らないことを、理解および諒解されたい。これらの手法の組合せも使用され得る。
【００６３】
本明細書で開示する態様に関して説明する様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタ論理、個別ハードウェア構成要素、または本明細書で説明する機能を実行するように設計されたそれらの任意の組合せで実装または実行することができる。汎用プロセッサは、マイクロプロセッサでもよいが、代替として、そのプロセッサは任意の従来のプロセッサ、コントローラ、マイクロコントローラ、または状態機械でもよい。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。さらに、少なくとも1つのプロセッサは、上述のステップおよび/またはアクションの1つまたは複数を実行するように構成される、1つまたは複数のモジュールを含み得る。
【００６４】
さらに、本明細書で開示した態様に関して説明した方法またはアルゴリズムのステップおよび/またはアクションは、直接ハードウェアで実施するか、プロセッサによって実行されるソフトウェアモジュールで実施するか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に存在し得る。例示的な記憶媒体は、プロセッサが記憶媒体から情報を読み取り、記憶媒体に情報を書き込むことができるようにプロセッサに結合され得る。代替として、記憶媒体はプロセッサと一体であり得る。さらに、いくつかの態様では、プロセッサおよび記憶媒体はASIC中に存在し得る。さらに、ASICはユーザ端末中に存在し得る。代替として、プロセッサおよび記憶媒体は、ユーザ端末中に個別構成要素として存在し得る。加えて、いくつかの態様では、方法またはアルゴリズムのステップおよび/またはアクションは、コンピュータプログラム製品に組み込まれ得る、機械可読媒体および/またはコンピュータ可読媒体上のコードおよび/または命令の1つまたは任意の組合せ、またはそのセットとして存在し得る。
【００６５】
1つまたは複数の態様では、説明する機能は、ハードウェア、ソフトウェア、ファームウェア、またはそれらの任意の組合せで実装され得る。各機能は、ソフトウェアで実装される場合、1つまたは複数の命令またはコードとしてコンピュータ可読媒体上に記憶されるか、または、コンピュータ可読媒体上で送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。また、いかなる接続もコンピュータ可読媒体と呼ばれ得る。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用されるディスク(disk)およびディスク(disc)は、コンパクトディスク(disc)(CD)、レーザディスク(disc)、光ディスク(disc)、デジタル多用途ディスク(disc)(DVD)、フレキシブルディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含めるべきである。
【００６６】
上記の開示は、例示的な態様および/または態様について論じたが、添付の特許請求の範囲によって定義される、説明した態様および/または実施形態の範囲から逸脱することなく、様々な変更および改変を本明細書で行うことができることに留意されたい。さらに、説明した態様および/または態様の要素は、単数形で説明または請求されていることがあるが、単数形に限定することが明示的に述べられていない限り、複数形が企図される。加えて、任意の態様および/または態様の全部または一部は、別段述べられていない限り、任意の他の態様および/または態様の全部または一部とともに利用され得る。
【符号の説明】
【００６７】
100  ワイヤレス送信または充電システム
102  入力電力
104  送信機
106  放射界
108  受信機
110  出力電力
112  距離
114  送信アンテナ
118  受信アンテナ
119  通信チャネル
132  整合回路
134  整流器およびスイッチング回路
136  バッテリー
204  送信機
214  送信アンテナ
222  発振器
223  調整信号
224  電力増幅器
225  制御信号
226  フィルタおよび整合回路
300  通信ネットワーク
310  通信デバイス
312  NFCコントローラ
314  第1のRF技術およびモード値
316  第2のRF技術およびモード値
318  データ送信レート
320  データ受信レート
322  NFCコントローラインターフェース
324  アンテナ
326  NFC技術
330  遠隔NFCデバイス
332  NFCモジュール
340  デバイスホスト
400  プロセス
500  通信デバイス
502  受信機
504  復調器
506  プロセッサ
508  メモリ
510  通信デバイス
518  変調器
520  送信機
530  NFCコントローラ
534  第1のNFC RF技術
536  第2のNFC RF技術
540  ユーザインターフェース
542  入力機構
544  出力機構
550  NCI
560  デバイスホスト
600  通信システム
602  論理的グルーピング
604  電気的構成要素
606  電気的構成要素
608  電気的構成要素
610  電気的構成要素
610  電気的構成要素
612  電気的構成要素
614  メモリ
【図１】
0006033287.tif 000004
【図２】
0006033287.tif 000005
【図３】
0006033287.tif 000006
【図４】
0006033287.tif 000007
【図５】
0006033287.tif 000008
【図６】
0006033287.tif 000009